(57)【要約】【課題】  データ再生装置において、早送り再生および巻き戻し再生を行なう際のユーザにとっての利便性を向上させる。【解決手段】  早送り再生または巻き戻し再生が行なわれる場合、その再生速度は、当該早送り再生または巻き戻し再生の対象となる番組データの長さ、および、リモコン６０の数字キー６００の中の、操作されたキーの番号に応じて、決定される。操作された数字キー６００の番号が大きくなるほど、再生速度が速くなる。また、数字キー６００の同じ番号のキーが操作された場合、番組データの長さが長いほど、再生速度が速くなる。また、番組データが長いほど、操作する数字キー６００の番号の増加に伴う再生速度の上昇の度合いが大きくなる。【選択図】        図２
2006157651.tif 000002
【特許請求の範囲】
【請求項１】
番組データを記録する記録媒体と、前記記録媒体に記録された番組データを再生する再生手段とを含むデータ再生装置であって、
前記再生手段による早送り再生および巻き戻し再生を開始すべき情報の入力を受付ける操作部と、
前記操作部に前記早送り再生または巻き戻し再生を開始すべき情報が入力された場合、当該早送り再生または巻き戻し再生を行なう番組データの長さが長いほど再生速度が速くなるように、前記再生手段を制御する再生速度制御手段とをさらに含み、
前記操作部は、それぞれに番号を付された複数の操作部位を備え、
前記再生速度制御手段は、
前記早送り再生または巻き戻し再生の実行中に、その時点での再生の残り時間に応じて、前記再生手段に、前記早送り再生または巻き戻し再生における再生速度を変更させ、
前記操作部の中の前記複数の操作部位が操作された際、当該操作された操作部位に付された番号が大きいほど前記早送り再生または巻き戻し再生における再生速度が速くなるように前記再生手段を制御し、かつ、
前記操作された操作部位に付された番号の増加に対する前記再生速度の上昇の度合いを、当該早送り再生または巻き戻し再生を行なう番組データの長さが長いほど大きくする、データ再生装置。
【請求項２】
番組データを記録する記録媒体と、前記記録媒体に記録された番組データを再生する再生手段とを含むデータ再生装置であって、
前記再生手段による早送り再生および巻き戻し再生を開始すべき情報の入力を受付ける操作部と、
前記操作部に前記早送り再生または巻き戻し再生を開始すべき情報が入力された場合、当該早送り再生または巻き戻し再生を行なう番組データの長さが長いほど再生速度が速くなるように、前記再生手段を制御する再生速度制御手段とをさらに含む、データ再生装置。
【請求項３】
前記再生速度制御手段は、前記早送り再生または巻き戻し再生の実行中に、その時点での再生の残り時間に応じて、前記再生手段に、前記早送り再生または巻き戻し再生における再生速度を変更させる、請求項２に記載のデータ再生装置。
【請求項４】
前記操作部は、それぞれに番号を付された複数の操作部位を備え、
前記再生速度制御手段は、前記操作部の中の前記複数の操作部位が操作された際、当該操作された操作部位に付された番号が大きいほど前記早送り再生または巻き戻し再生における再生速度が速くなるように前記再生手段を制御する、請求項２または請求項３に記載のデータ再生装置。
【請求項５】
前記再生速度制御手段は、前記操作された操作部位に付された番号の増加に対する前記再生速度の上昇の度合いを、当該早送り再生または巻き戻し再生を行なう番組データの長さが長いほど大きくする、請求項４に記載のデータ再生装置。
【発明の詳細な説明】
【技術分野】
【０００１】
本発明は、データ再生装置に関し、特に、早送り再生および巻き戻し再生が可能なデータ再生装置に関する。
【背景技術】
【０００２】
従来から、データ再生装置において、早送り再生および巻き戻し再生に関する種々の技術が開示されている。
【０００３】
たとえば、特許文献１には、再生するデータのセクタ中の属性情報を検出することによりデータストリームの種類やピクチャのタイプを認識し、早送り等の特殊再生時には必要なデータのみをデコードして再生する技術が開示されている。また、特許文献２には、シームレス再生として、早送り再生についての技術が開示されている。また、特許文献３には、設定されたフレームレートに応じて再生速度を変更する技術が開示されている。
【特許文献１】特開平８−７９６８７号公報
【特許文献２】特開平９−２５９５７３号公報
【特許文献３】特開２００１−５４０６６号公報
【発明の開示】
【発明が解決しようとする課題】
【０００４】
なお、従来の技術において、早送りの再生速度の決定は、所望した速度にユーザが応じて入力した情報のみに基づいて行なわれていた。つまり、従来、早送り再生および巻き戻し再生において、再生速度を変更することはできても、その再生速度の決定は、所望した速度にユーザが応じて入力した情報のみに基づいて行なわれていた。したがって、ユーザが、たとえば再生位置または再生残り時間に応じて早送りの再生速度を変更したいと考えた場合、再生位置または再生残り時間を参照して、それに見合った再生速度を自ら決定し、その入力を行なわなければならなかった。このため、従来の早送り再生および巻き戻し再生についての技術は、今一つ、利便さに欠けていた。
【０００５】
本発明は、かかる実情に鑑み考え出されたものであり、その目的は、データ再生装置において、早送り再生および巻き戻し再生を行なう際のユーザにとっての利便性を向上させることである。
【課題を解決するための手段】
【０００６】
本発明のある局面に従ったデータ再生装置は、番組データを記録する記録媒体と、前記記録媒体に記録された番組データを再生する再生手段とを含むデータ再生装置であって、前記再生手段による早送り再生および巻き戻し再生を開始すべき情報の入力を受付ける操作部と、前記操作部に前記早送り再生または巻き戻し再生を開始すべき情報が入力された場合、当該早送り再生または巻き戻し再生を行なう番組データの長さが長いほど再生速度が速くなるように、前記再生手段を制御する再生速度制御手段とをさらに含み、前記操作部は、それぞれに番号を付された複数の操作部位を備え、前記再生速度制御手段は、前記早送り再生または巻き戻し再生の実行中に、その時点での再生の残り時間に応じて、前記再生手段に、前記早送り再生または巻き戻し再生における再生速度を変更させ、前記操作部の中の前記複数の操作部位が操作された際、当該操作された操作部位に付された番号が大きいほど前記早送り再生または巻き戻し再生における再生速度が速くなるように前記再生手段を制御し、かつ、前記操作された操作部位に付された番号の増加に対する前記再生速度の上昇の度合いを、当該早送り再生または巻き戻し再生を行なう番組データの長さが長いほど大きくすることを特徴とする。
【０００７】
本発明の他の局面に従ったデータ再生装置は、番組データを記録する記録媒体と、前記記録媒体に記録された番組データを再生する再生手段とを含むデータ再生装置であって、前記再生手段による早送り再生および巻き戻し再生を開始すべき情報の入力を受付ける操作部と、前記操作部に前記早送り再生または巻き戻し再生を開始すべき情報が入力された場合、当該早送り再生または巻き戻し再生を行なう番組データの長さが長いほど再生速度が速くなるように、前記再生手段を制御する再生速度制御手段とをさらに含むことを特徴とする。
【０００８】
また、本発明の他の局面に従ったデータ再生装置では、前記再生速度制御手段は、前記早送り再生または巻き戻し再生の実行中に、その時点での再生の残り時間に応じて、前記再生手段に、前記早送り再生または巻き戻し再生における再生速度を変更させることが好ましい。
【０００９】
また、本発明の他の局面に従ったデータ再生装置では、前記操作部は、それぞれに番号を付された複数の操作部位を備え、前記再生速度制御手段は、前記操作部の中の前記複数の操作部位が操作された際、当該操作された操作部位に付された番号が大きいほど前記早送り再生または巻き戻し再生における再生速度が速くなるように前記再生手段を制御することが好ましい。
【００１０】
また、本発明の他の局面に従ったデータ再生装置では、前記再生速度制御手段は、前記操作された操作部位に付された番号の増加に対する前記再生速度の上昇の度合いを、当該早送り再生または巻き戻し再生を行なう番組データの長さが長いほど大きくすることが好ましい。
【発明の効果】
【００１１】
本発明によると、データ再生装置において、早送り再生または巻き戻し再生が実行される際、当該早送り再生または巻き戻し再生を行なう番組データの長さが長いほど、その再生速度が速くされる。このため、当該早送り再生または巻き戻し再生において、番組データが長く、番組データ全体の内容をざっと見たいとき等には、自動的に再生速度が速くなるため、早送り再生および巻き戻し再生の際に、ユーザが適した再生速度を考慮して入力する必要がなく、ユーザにとっての利便性が向上する。
【００１２】
また、本発明によると、当該早送り再生または巻き戻し再生の実行中に、その再生速度が、当該再生の残り時間に応じて変化していくため、再生の残り時間に応じた速度で当該早送り再生または巻き戻し再生がなされて都合が良いとともに、ユーザは、当該早送り再生または巻き戻し再生の残り時間が少なくなったことを再生速度の変化で直感的に認識できる。
【００１３】
また、本発明によると、操作された操作部位に付された番号に応じて、異なった再生速度で早送り再生または巻き戻し再生が実行されるため、ユーザは、操作する操作部位を選択することによって、容易に、早送り再生または巻き戻し再生を再生速度を入力できる。
【００１４】
また、本発明によると、操作部位に付された番号の増加に対する早送り再生または巻き戻し再生での再生速度の上昇の度合いが、番組が長いほど大きくなるため、ユーザの、番組データが長いときほどすばやく番組データ全体の内容を見たいという考えを、より顕著に、データ再生装置での制御に反映させることができる。
【発明を実施するための最良の形態】
【００１５】
以下、図面を参照しつつ、本発明のデータ再生装置の一実施の形態であるデータ記録再生装置について説明する。なお、同じ構成要素には、同じ符号を付し、説明を繰返さない。
【００１６】
［第１の実施の形態］
図１に、本発明の第１の実施の形態であるデータ記録再生装置１の制御ブロック図を示す。
【００１７】
データ記録再生装置１は、外部のリモートコントロール部（リモコン）６０に対する操作に基づいて動作する。また、データ記録再生装置１は、当該データ記録再生装置１の動作を全体的に制御するＣＰＵ（Central Processing Unit）１０、外部からのデータを受信するためのアンテナ５、アンテナ５から受信したデータをエンコードするエンコード部２、エンコード部２においてエンコードされたデータを記録または再生するにデータを蓄積する記録再生部３、エンコード部２においてエンコードされたデータを再生するためにデコードするデコーダ部４、および、リモコン６０から赤外線等で送られる外部からの信号を受信しＣＰＵ１０に伝達するリモートコントローラインターフェイス（リモコンＩ／Ｆ）６を含む。
【００１８】
エンコーダ部２では、テレビチューナ（ＴＶチューナ）２０によりアンテナ５で受信する電波の周波数が調整され、アナログ／デジタル（Ａ／Ｄ）変換部２１によりアンテナ５で受信した電波またはビデオ入力端子２３を介して外部から入力されるデータのＡ／Ｄ変換がなされ、エンコーダ２２によりＡ／Ｄ変換後のデータのエンコードがなされる。Ａ／Ｄ変換部２１にはスイッチ２１Ａが備えられている。スイッチ２１Ａは、一端をＡ／Ｄ変換部２１側の端子２１Ｐに固定され、他端を、リモコン６０からの入力内容に基づいて、ＴＶチューナ２０側の端子２０Ｘまたはビデオ入力端子２３側の端子２３Ｘに接続される。
【００１９】
記録再生部３では、エンコーダ部２でエンコードされたデータが、バッファであるＲＡＭ（Random Access Memory）３０で一時的に記録される。再生切換部３２は、ＲＡＭ３０に記憶されたデータを、そのまま再生させるか、または、ハードディスクドライブ（ＨＤＤ）３１に書込む。再生切換部３２が、ＲＡＭ３０に記憶されたデータを、そのまま再生させるか、ＨＤＤ３１に書込むかは、ＣＰＵ１０により制御される。
【００２０】
デコーダ部４では、デコーダ４０により再生切換部３２から送られるデータ（ＲＡＭ３０またはＨＤＤ３１に記憶されたデータ）がデコードされ、デジタル／アナログ変換部（Ｄ／Ａ変換部）４１によりデコードされたデータがアナログデータに変換される。このアナログデータは、外部のテレビジョン（ＴＶ）２０等のモニタに出力され、再生される。
【００２１】
図２に、リモコン６０の一例の平面図を示す。リモコン６０は、０〜９の１０個の番号にそれぞれ対応する１０個のキーからなる数字キー６００と、データ記録再生装置１にＨＤＤ３１に記録されたデータの再生動作を実行させる再生キー６０１と、当該データの早送り動作を実行させる早送りキー６０２と、当該データの巻き戻し動作を実行させる巻き戻しキー６０３と、動作を停止させる停止キー６０４とを含む。なお、データ記録再生装置１では、データの再生動作中に早送りキー６０２が操作されると早送り再生動作が実行され、データの再生動作中に巻き戻しキー６０３が操作されると巻き戻し再生動作が実行される。
【００２２】
図３に、データ記録再生装置１において、ＨＤＤ３１に記録されたデータが再生される際に、ＣＰＵ１０が実行する再生処理のフローチャートを示す。
【００２３】
再生処理では、ＣＰＵ１０は、まずＳ１で、再生キー６０１に対する操作があったか否かを判断し、操作があったと判断するとＳ２に処理を進める。
【００２４】
次に、ＣＰＵ１０は、Ｓ２で、ＨＤＤ３１に記録されたデータを再生する。なお、この再生は、再生―６０１が操作された際に同時に指定された再生位置から行なわれる。
【００２５】
次に、ＣＰＵ１０は、Ｓ３で、早送りキー６０２に対する操作があったか否かを判断し、操作があったと判断するとＳ４へ処理を進め、操作がなかったと判断するとＳ５へ処理を進める。
【００２６】
Ｓ５では、ＣＰＵ１０は、巻き戻しキー６０３に対する操作があったか否かを判断し、操作があったと判断するとＳ６へ処理を進め、操作がなかったと判断するとＳ７へ処理を進める。
【００２７】
Ｓ７では、ＣＰＵ１０は、リモコン６０に備えられた早送りキー６０２および巻き戻しキー６０３以外のキーに対して操作があったか否かを判断する。そして、操作があったと判断すると制御回路３０は、Ｓ８で、Ｓ７で操作されたと判断したキーに応じた処理を行なって処理をＳ１に戻す。一方、操作なかったと判断するとＳ３に処理を戻す。
【００２８】
また、Ｓ４では、ＣＰＵ１０は、ＨＤＤ３１に記録されたデータを早送り再生する処理を行なった後、処理をＳ１に戻す。
【００２９】
また、Ｓ６では、ＣＰＵ１０は、ＨＤＤ３１に記録されたデータを巻き戻し再生する処理を行なった後、処理をＳ１に戻す。
【００３０】
次に、Ｓ４の早送り再生処理について、当該早送り再生処理のサブルーチンのフローチャートである図４を参照しつつ、説明する。
【００３１】
早送り再生処理では、ＣＰＵ１０は、まずＳ４１で、予め定められた再生速度で、早送りでＨＤＤ３１に記録されたデータを再生させる。
【００３２】
次に、ＣＰＵ１０は、Ｓ４２で、数字キー６００の中のいずれかのキーに対して操作がなされたか否かを判断する。そして、操作がなされたと判断すると、Ｓ４３に処理を進め、操作がなされていないと判断すると、Ｓ４５に処理を進める。
【００３３】
Ｓ４５では、ＣＰＵ１０は、現在早送りで再生させている番組データが終了したか否かを判断する。ここで、番組データについて、ＨＤＤ３１におけるデータの記録態様を模式的に示す図５を参照しつつ、説明する。
【００３４】
図５には、ＨＤＤ３１に含まれる記憶領域の一部として、領域３１１，３１２，３１３の３つの領域が示されている。図５において、矢印Ｘは、時間経過とともに通常のデータの再生（または録画）において再生（または録画）ポイントが移動する方向を示している。
【００３５】
ＨＤＤ３１では、番組データごとに、記録される領域が区分けされている。図５では、領域３１１に「番組データ１」が、領域３１２に「番組データ２」が、領域３１３に「番組データ３」が、それぞれ記録されている。なお、「番組データ」とは、データ記録装置において一度記録を始められてから当該記録が停止されるまでに記録されたデータの塊を言う。そして、番組データがこのように定義されるため、各番組データの長さは、一回の録画が継続された時間等によって異なる。
【００３６】
再度図４を参照して、Ｓ４５において番組データが終了したか否かの判断は、早送りで再生を開始した番組データについての早送りが、当該番組データの最終ポイントまで行なわれたか否かの判断に相当する。そして、早送りの再生を行なうことにより番組データが終了したと判断すると、Ｓ４６に処理を移行させる。一方、まだ番組データが終了していないと判断すると、Ｓ４７に処理を移行させる。
【００３７】
Ｓ４７では、ＣＰＵ１０は、数字キー６００以外の他のキーに対して操作がなされたか否かを判断し、操作がなされたと判断すると、Ｓ４８で当該操作されたキーに応じた処理を実行してＳ４２に処理を戻す。一方、Ｓ４７で、そのような操作がなされていないと判断すると、そのまま処理をＳ４２に戻す。
【００３８】
Ｓ４６では、ライブ映像を再生させて、リターンする。なお、ライブ映像の再生とは、ＲＡＭ３０に記憶されたデータをそのまま再生させることを言う。
【００３９】
また、Ｓ４３では、ＣＰＵ１０は、Ｓ４２で操作されたと判断した数字キー６００が対応するキーの番号に応じて、早送り再生における再生速度を算出して、Ｓ４４に処理を進める。なお、早送り再生における再生速度の算出は、次に示す表１を参照して行なわれる。
【００４０】
【表１】
2006157651.tif 000003
【００４１】
表１では、数字キー６００の中で操作されたキーの番号および番組データの長さ（再生時間）に応じて、再生速度が記載されている。Ｓ４３で、ＣＰＵ１０は、表１において、操作されたキーの番号と早送り再生中の番組データの長さとに対応している再生速度を、早送りにおける再生速度の算出結果とする。
【００４２】
具体的には、たとえば、番組データの長さが１時間以内のものであれば、番号１のキーが操作されると早送り再生の再生速度は２倍速と算出され、番号２のキーが操作されると早送り再生の再生速度は４倍速と算出され、番号３のキーが操作されると早送り再生の再生速度は８倍速と算出され、番号４のキーが操作されると早送り再生の再生速度は１５倍速と算出され、番号５のキーが操作されると早送り再生の再生速度は３０倍速と算出され、番号６のキーが操作されると早送り再生の再生速度は４５倍速と算出され、番号７のキーが操作されると早送り再生の再生速度は６０倍速と算出され、番号８のキーが操作されると早送り再生の再生速度は１２０倍速と算出され、番号９のキーが操作されると早送り再生の再生速度は３００倍速と算出される。
【００４３】
また、同じ番号５のキーが操作された場合であっても、番組データの長さが１時間以内または３時間以内のものであれば早送り再生の再生速度は３０倍速と算出され、番組データの長さが６時間以内のものであれば早送り再生の再生速度は６０倍速と算出され、番組データの長さが１０時間以上のものであれば早送り再生の再生速度は３００倍速と算出される。
【００４４】
そして、Ｓ４４で、ＣＰＵ１０は、Ｓ４３で算出された再生速度で早送り再生を行なうように、データの再生速度を変更し、Ｓ４２に処理を戻す。
【００４５】
次に、Ｓ６の巻き戻し再生処理について、当該巻き戻し再生処理のサブルーチンのフローチャートである図６を参照しつつ、説明する。
【００４６】
巻き戻し再生処理では、ＣＰＵ１０は、まずＳ６１で、予め定められた再生速度で、ＨＤＤ３１に記録されたデータを巻き戻しながら、つまり、逆方向に、再生させる。
【００４７】
次に、ＣＰＵ１０は、Ｓ６２で、数字キー６００の中のいずれかのキーに対して操作がなされたか否かを判断する。そして、操作がなされたと判断すると、Ｓ６３に処理を進め、操作がなされていないと判断すると、Ｓ６５に処理を進める。
【００４８】
Ｓ６５では、ＣＰＵ１０は、現在再生させている番組データについて当該番組データの開始位置までの巻き戻し再生が終了したか否かを判断する。そして、当該番組データの開始位置までの巻き戻し再生が終了したと判断すると、Ｓ６６に処理を移行させる。一方、まだ終了していないと判断すると、Ｓ６７に処理を移行させる。
【００４９】
Ｓ６７では、ＣＰＵ１０は、数字キー６００以外の他のキーに対して操作がなされたか否かを判断し、操作がなされたと判断すると、Ｓ６８で当該操作されたキーに応じた処理を実行してＳ６２に処理を戻す。一方、Ｓ６７で、そのような操作がなされていないと判断すると、そのまま処理をＳ６２に戻す。
【００５０】
Ｓ６６では、現在再生させている番組データについて当該番組データの開始位置から再生を開始させて、リターンする。
【００５１】
また、Ｓ６３では、ＣＰＵ１０は、Ｓ６２で操作されたと判断した数字キー６００が対応するキーの番号に応じて、巻き戻し再生における再生速度を算出して、Ｓ６４に処理をすすめる。なお、巻き戻し再生における再生速度は、図４を用いて説明した早送り再生における再生速度の算出と同様に、現在巻き戻し再生の対象とされている番組データの長さと操作されたキーの番号とに基づいて表１を参照されることにより、算出される。
【００５２】
そして、Ｓ６４で、ＣＰＵ１０は、Ｓ６３で算出された再生速度で巻き戻し再生を行なうようにデータの再生速度を変更し、Ｓ６２に処理を戻す。
【００５３】
以上説明した巻き戻し再生処理によると、データ記録再生装置１では、或る番組データの再生の際に巻き戻しキー６０３が操作されると、巻き戻し再生が行なわれ、当該巻き戻し再生が当該或る番組データの開始位置まで行なわれると、当該或る番組データの開始位置からの通常の再生が行なわれる。なお、巻き戻し再生時の再生速度は、当該或る番組データの長さと操作されたキーの番号とに基づいて決定される。
【００５４】
この巻き戻し再生処理におけるデータ記録再生装置１の動作を、図７を参照してより具体的に説明する。ＨＤＤ３１の領域３１２に記録された「番組データ２」のポイントＰＸの再生時に巻き戻しキー６０３が操作されると、巻き戻し再生（矢印Ａ１方向の再生）が行なわれ、巻き戻し再生が「番組データ２」の開始位置であるポイントＰＯまで行なわれると、ポイントＰＯから通常の再生（矢印Ａ２方向の再生）が実行される。なお、巻き戻し再生における再生速度は、「番組データ２」のデータの長さと操作されたキーの番号とに基づいて決定される。
【００５５】
以上説明した本実施の形態では、早送り再生または巻き戻し再生が行なわれる場合、その再生速度は、当該早送り再生または巻き戻し再生の対象となる番組データの長さ、および、リモコン６０の数字キー６００の中の、操作されたキーの番号に応じて、決定される。
【００５６】
表１を参照すると、番組データの長さに応じて４種類の場合分けがなされ、各場合ごとに、操作された数字キー６００の番号が大きくなるほど、再生速度が速くなる傾向にある。また、数字キー６００の同じ番号のキーが操作された場合、番組データの長さが長いほど、再生速度が速くなる傾向がある。なお、図８に、表１に示された、操作する数字キー６００の番号と早送り再生および巻き戻し再生の再生速度との関係を、グラフ化して示す。
【００５７】
図８を参照すると、操作する数字キー６００の番号が大きくなるほど、番組データの長さが長いものと短いものとの再生速度の差が大きくなる。つまり、本実施の形態では、番組データが長いほど、操作する数字キー６００の番号の増加に伴う再生速度の上昇の度合いが大きい、ということになる。
【００５８】
［第２の実施の形態］
本発明の第２の実施の形態では、第１の実施の形態において図４および図６を用いて説明した早送り再生処理および巻き戻し再生処理におけるＣＰＵ１０の制御内容のみが、当該第１の実施の形態に対する変更点となっているため、ここでは、当該２つの制御内容のみを説明する。
【００５９】
まず、Ｓ４（図３参照）の早送り再生処理について、本実施の形態における当該早送り再生処理のサブルーチンのフローチャートである図９を参照しつつ、説明する。
【００６０】
本実施の形態の早送り再生処理では、ＣＰＵ１０は、まずＳＡ４１で、そのでの、当該早送り再生の対象となっている番組データの残り時間を検出し、当該残り時間に応じて決定される再生速度で、早送り再生を実行する。
【００６１】
ＳＡ４１において、残り時間に応じて決定される再生速度とは、たとえば、表１の「番組データの長さ」を「残り時間」に読み替え、かつ、当該表１において操作する数字キー６００の番号が１であるときの、再生速度である。
【００６２】
ただし、当該早送り再生処理において、後述するＳＡ４２以降の処理において数字キー６００のいずれかに対して操作がなされたと判断された場合には、ＳＡ４１では、残り時間に応じて決定される再生速度が、表１の「番組データの長さ」を「残り時間」に読み替え、かつ、当該表１において最後に操作された数字キー６００の番号に対応する、再生速度とされる。
【００６３】
また、番組データの残り時間については、図１０を参照して、さらに詳細に説明する。
【００６４】
図１０は、図５および図７と同様に、ＨＤＤ３１におけるデータの記録態様を模式的に示す図である。現在、「番組データ２」のポイントＰＹから、早送り再生処理が開始されたとする。なお、「番組データ２」は、ポイントＰＯから始まり、ポイントＯＥで終了するものとする。そして、早送り再生処理の開始における、番組データの残り時間とは、この場合には、ポイントＰＹからポイントＰＥまでのデータの長さということになる。なお、また、早送り再生処理が進行するにつれ、番組データ内で再生の対象となるポイントが変更される。したがって、これ以降ＳＡ４１が実行される場合には、再生速度の決定の基準となるポイントＰＹは、早送り再生処理の開始時から、処理の進行に従って、変更されていくものである。
【００６５】
次に、ＣＰＵ１０は、ＳＡ４２で、数字キー６００の中のいずれかのキーに対して操作がなされたか否かを判断する。そして、操作がなされたと判断すると、ＳＡ４３に処理を進め、操作がなされていないと判断すると、ＳＡ４５に処理を進める。
【００６６】
ＳＡ４５では、ＣＰＵ１０は、現在早送りで再生させている番組データが終了したか否かを判断する。早送りでの再生を行なうことにより番組データが終了したと判断すると、ＳＡ４６に処理を移行させる。一方、まだ番組データが終了していないと判断すると、ＳＡ４７に処理を移行させる。
【００６７】
ＳＡ４７では、ＣＰＵ１０は、数字キー６００以外の他のキーに対して操作がなされたか否かを判断し、操作がなされたと判断すると、ＳＡ４８で当該操作されたキーに応じた処理を実行してＳＡ４２に処理を戻す。一方、ＳＡ４７で、そのような操作がなされていないと判断すると、そのまま処理をＳＡ４２に戻す。
【００６８】
ＳＡ４６では、ライブ映像を再生させて、リターンする。
【００６９】
また、ＳＡ４３では、ＣＰＵ１０は、早送り再生における再生速度を算出して、ＳＡ４４に処理を進める。なお、早送り再生における再生速度の算出は、ＳＡ４２で操作されたと判断した数字キー６００が対応するキーの番号と、上記のＳＡ４１において説明したようなその時点での番組データの残り時間とに基づき、表１を参照することにより、行なわれる。
【００７０】
そして、ＳＡ４４で、ＣＰＵ１０は、ＳＡ４３で算出された再生速度で早送り再生を行なうように、データの再生速度を変更し、ＳＡ４２に処理を戻す。
【００７１】
次に、Ｓ６（図３参照）の巻き戻し再生処理について、本実施の形態における巻き戻し再生処理のサブルーチンのフローチャートである図１１を参照しつつ、説明する。
【００７２】
巻き戻し再生処理では、ＣＰＵ１０は、まずＳＡ６１で、その時点での、当該巻き戻し再生の対象となっている番組データの残り時間を検出し、当該残り時間に応じて決定される再生速度で、巻き戻し再生を実行する。なお、巻き戻し再生処理における番組データの残り時間とは、番組データにおける、その時点でのポイントから開始位置のポイントまでの長さを言う。つまり、たとえば、図１０において、「番組データ２」のポイントＰＹが巻き戻し再生処理の対象となっている場合には、残り時間は、ポイントＰＹからポイントＰＯまでのデータの長さになる。そして、ＳＡ６１では、再生速度は、表１の「番組データの長さ」を「残り時間」に読み替え、かつ、当該表１においてたとえば数字キーの番号１（当該巻き戻し再生処理において数字キー６００のいずれかが操作されている場合には最後に操作されたキーの番号）に対応する、再生速度とされる。
【００７３】
次に、ＣＰＵ１０は、ＳＡ６２で、数字キー６００の中のいずれかのキーに対して操作がなされたか否かを判断する。そして、操作がなされたと判断すると、ＳＡ６３に処理を進め、操作がなされていないと判断すると、ＳＡ６５に処理を進める。
【００７４】
ＳＡ６５では、ＣＰＵ１０は、現在再生させている番組データについて当該番組データの開始位置までの巻き戻し再生が終了したか否かを判断する。そして、当該番組データの開始位置までの巻き戻し再生が終了したと判断すると、ＳＡ６６に処理を移行させる。一方、まだ終了していないと判断すると、ＳＡ６７に処理を移行させる。
【００７５】
ＳＡ６７では、ＣＰＵ１０は、数字キー６００以外の他のキーに対して操作がなされたか否かを判断し、操作がなされたと判断すると、ＳＡ６８で当該操作されたキーに応じた処理を実行してＳＡ６２に処理を戻す。一方、ＳＡ６７で、そのような操作がなされていないと判断すると、そのまま処理をＳＡ６２に戻す。
【００７６】
ＳＡ６６では、現在再生させている番組データについて当該番組データの開始位置から再生を開始させて、リターンする。
【００７７】
また、ＳＡ６３では、ＣＰＵ１０は、巻き戻し再生における再生速度を算出して、ＳＡ６４に処理をすすめる。なお、ＳＡ６３での巻き戻し再生における再生速度の算出は、ＳＡ６２で操作されたと判断した数字キー６００が対応するキーの番号と、ＳＡ６１において説明したようなその時点での番組データの残り時間とに基づいて、表１を参照することにより、行なわれる。
【００７８】
そして、ＳＡ６４で、ＣＰＵ１０は、ＳＡ６３で算出された再生速度で巻き戻し再生を行なうようにデータの再生速度を変更し、ＳＡ６２に処理を戻す。
【００７９】
以上説明した本実施の形態では、早送り再生および巻き戻し再生における再生速度が、番組データの残り時間に応じて決定される。
【００８０】
また、数字キー６００のいずれかが操作された場合、当該操作されたキーの番号によっても、再生速度は決定される。
【００８１】
なお、数字キー６００が操作されなくても、早送り再生処理，巻き戻し再生処理では、定期的に、ＳＡ４１，ＳＡ６１の処理が実行されるため、早送り再生および巻き戻し再生において、常に、番組データの残り時間に応じて、再生速度が変更されるようになる。
【００８２】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、各実施の形態は、単独で適用されても良いし、可能な限り、組合せて適用されても良い。
【図面の簡単な説明】
【００８３】
【図１】本発明のデータ再生装置の第１の実施の形態であるデータ記録再生装置の制御ブロック図である。
【図２】図１のリモコンの一例の平面図である。
【図３】図１のデータ記録再生装置において、ＣＰＵが実行する再生処理のフローチャートである。
【図４】図３の早送り再生処理のサブルーチンのフローチャートである。
【図５】図１のＨＤＤにおけるデータの記録態様を模式的に示す図である。
【図６】図３の巻き戻し再生処理のサブルーチンのフローチャートである。
【図７】図３の巻き戻し再生処理におけるデータ記録再生装置の動作を説明するための図である。
【図８】図１のデータ記録再生装置において、操作する数字キーの番号と早送り再生および巻き戻し再生の再生速度との関係を示す図である。
【図９】本発明の第２の実施の形態のデータ記録再生装置における、早送り再生処理のサブルーチンのフローチャートである。
【図１０】図９の早送り再生処理における番組データの残り時間の算出を説明するための図である。
【図１１】本発明の第２の実施の形態のデータ記録再生装置における、巻き戻し再生処理のサブルーチンのフローチャートである。
【符号の説明】
【００８４】
１  データ記録再生装置、２  エンコーダ部、３  記憶再生部、４  デコーダ部、５  アンテナ部、６  リモコンＩ／Ｆ、１０  ＣＰＵ、２２  エンコーダ、３０  ＲＡＭ、３１  ＨＤＤ、４０  デコーダ、６０  リモコン、６００  数字キー、６０１  再生キー、６０２  早送りキー、６０３  巻き戻しキー、６０４  停止キー。
【図１】
2006157651.tif 000004
【図２】
2006157651.tif 000005
【図３】
2006157651.tif 000006
【図４】
2006157651.tif 000007
【図５】
2006157651.tif 000008
【図６】
2006157651.tif 000009
【図７】
2006157651.tif 000010
【図８】
2006157651.tif 000011
【図９】
2006157651.tif 000012
【図１０】
2006157651.tif 000013
【図１１】
2006157651.tif 000014